(57)【要約】      （修正有）【課題】塗装面の塗装剥離作業を確実、かつきわめて容易に行え、さらには、剥離作業後の再塗装の仕上がりを最適のものとしうる建築構造物のリベット部塗装剥離用部材を提供する。【解決手段】略半球面状に凹状湾曲した剥離作業面を内側に有する略おわん型剥離作業体と、剥離作業体の外側面略頂部より上方向へ突設された回転軸部と、を有する建築構造物のリベット部塗装剥離用部材であり、凹状湾曲する剥離作業面には塗装剥離用リング刃が外側に向けて取り付けられていると共に、塗装剥離用リング刃の取り付け箇所の反対面には、調整用リング刃が取り付けられている。【選択図】図１
0003128867.tif 000002
【実用新案登録請求の範囲】
【請求項１】
略半球面状に凹状湾曲した剥離作業面を内側に有する略おわん型剥離作業体と、該剥離作業体の外側面略頂部より上方向へ突設された回転軸部と、を有する建築構造物のリベット部塗装剥離用部材であり、
前記凹状湾曲する剥離作業面には塗装剥離用リング刃が外側に向けて取り付けられていると共に、該塗装剥離用リング刃の取り付け箇所の反対面には、調整用リング刃が取り付けられている、
ことを特徴とする建築構造物のリベット部塗装剥離用部材。
【請求項２】
半球面状に凹状湾曲した剥離作業面を内側に有する略おわん型剥離作業体と、該剥離作業体の外側面略頂部より上方向へ突設された回転軸部と、を有する建築構造物のリベット部塗装剥離用部材であり、
前記凹状湾曲する剥離作業面には塗装剥離用リング刃が外側に向けて取り付けられていると共に、該塗装剥離用リング刃の取り付け箇所の反対面には、調整用リング刃が取り付けられ、
前記塗装剥離用リング刃および調整用リング刃の取り付け箇所以外の剥離作業面には、前記剥離作業体の表裏面を貫通する剥離塗装通過路兼剥離状態確認用窓が形成された、
ことを特徴とする建築構造物のリベット部塗装剥離用部材。
【請求項３】
前記塗装剥離用リング刃あるいは調整用リング刃は、交換可能に取り付けられた、
ことを特徴とする請求項１または請求項２記載の建築構造物のリベット部塗装剥離用部材。
【考案の詳細な説明】
【技術分野】
【０００１】
この考案は、鉄橋など建築構造物において接続部に用いられたリベット頭部の塗装剥離に用いられる建築構造物のリベット部塗装剥離用部材に関するものである。
ここで、リベットとは、一般に鋲（びょう）を指標し、現在の接続用高力ボルトが普及するまでは、鋼構造物の接合、たとえば、トラス橋などの鉄橋、鉄塔などの建造物の鉄板、鉄骨の接合はほとんどがリベット接合であった。
【０００２】
リベットは、棒鋼を所定の寸法に切断し、片側に略半球面状に突出する頭をつくったものである。それを真っ赤に熱して接合部材の孔に差し込み、反対側をリベットハンマーで打撃して締めたものである。鋲打ち作業は、「カシメ」とも呼ばれ、熟練した高度な技能を必要とした。
【０００３】
現場では通常4〜5人が一組となり、テッポー・当盤・鋲受けと呼ばれる3人が接合部に上がって鋲打ちにあたり、残り2人は地上で鋲を焼く。鋲受けから当盤が鋲を受け取り、孔に差し込んで頭を押さえ、反対側からテッポーがリベットハンマー（通称鉄砲）で打設した。地上ではボーシン（組頭）が炉でリベットを焼き、他の1人はリベット運びやコークス補給など雑用を受け持った。
【０００４】
鋲打ちのスピードや順番を考えながら所要寸法のリベットを並べ、表面の色で温度を判断しながらリベットを焼く。適温は700〜800度で、温度が低いとリベットは硬く、それを超えると溶け始めて軟らかく、いずれも不良品となる。焼きあがったリベットは、火箸にはさんで地上からほぼ垂直に、時には高さ20ｍ余りも放り投げ、上の作業場で鋲受けが漏斗（じょうご）状の工具で受ける。誤ってカーブ状に放り投げたり、受け損ねると非常に危険で、灼熱したリベットを宙で受け渡しする作業は、曲芸もどきであったといわれている。
【背景技術】
【０００５】
従来、リベット接合で製作された鉄橋などの建築構造物、特に鉄橋などはその美的外観を長期間にわたり維持するとの観点から、また耐久性を考慮した防錆の観点から定期的に再塗装することが要請されている。
ここで、再塗装する際には、まず従前の塗装面をきれいに剥離する作業が必要であり、その剥離作業の善し悪しが再塗装した際の仕上がり具合に大きな差をもたらすものとなる。
【０００６】
ところで、前記鉄橋など建築構造物において、従前塗装面の平面部分を剥離する治具、たとえば特開２００４−２１１０４４号公報に記載されている剥離テープなど塗装面剥離治具は比較的多く存在してあり、また一般に知られている。しかし、鉄橋など建築構造物において部材接続のために使用されたリベットの頭部分は、前記したように、表面側に半球面状に突出して、しかも大量に存在しているため、従前の塗装剥離治具を使用した剥離作業が困難であり、また当該箇所における剥離作業の効率も悪く、さらには特に当該箇所の塗装剥離が確実に行えないため、再塗装の仕上がりも低下してしまうとの課題があった。
【特許文献１】特開２００４−２１１０４４号公報
【考案の開示】
【考案が解決しようとする課題】
【０００７】
かくして本考案は、前記従来の課題を解消するために案出されたものであり、鉄橋など建築構造物において部材接続のために用いられたリベットの頭部分の再塗装前の従前塗装面剥離作業につき、たとえ、リベットが表面側に半球面状に突出して、しかも大量に存在していても、当該塗装面の塗装剥離作業を確実、かつきわめて容易に行え、もって当該箇所における剥離作業の効率を向上でき、さらには、剥離作業後の再塗装の仕上がりを最適のものとしうる建築構造物のリベット部塗装剥離用部材を提供することを目的とするものである。
【課題を解決するための手段】
【０００８】
本考案による建築構造物のリベット部塗装剥離用部材は、
半球面状に凹状湾曲した剥離作業面を内側に有する略おわん型剥離作業体と、該剥離作業体の外側面略頂部より上方向へ突設された回転軸部と、を有する建築構造物のリベット部塗装剥離用部材であり、
前記凹状湾曲する剥離作業面には塗装剥離用リング刃が外側に向けて取り付けられていると共に、該塗装剥離用リング刃の取り付け箇所の反対側面には、調整用リング刃が取り付けられている、
ことを特徴とし、
または、
半球面状に凹状湾曲した剥離作業面を内側に有する略おわん型剥離作業体と、該剥離作業体の外側面略頂部より上方向へ突設された回転軸部と、を有する建築構造物のリベット部塗装剥離用部材であり、
前記凹状湾曲する剥離作業面には塗装剥離用リング刃が外側に向けて取り付けられていると共に、該塗装剥離用リング刃の取り付け箇所の反対側面には、調整用リング刃が取り付けられ、
前記塗装剥離用リング刃および調整用リング刃の取り付け箇所以外の剥離作業面には、剥離塗装通過路兼剥離状態確認用窓が形成された、
ことを特徴とし、
または、
前記塗装剥離用リング刃あるいは調整用リング刃は、交換可能に取り付けられた、
ことを特徴とするものである。
【考案の効果】
【０００９】
本考案による建築構造物のリベット部塗装剥離用部材であれば、鉄橋など建築構造物において部材接続のために用いられたリベットの頭部分の再塗装前の従前塗装面剥離作業につき、たとえ、リベットが表面側に半球面状に突出して、しかも大量に存在していても、当該塗装面の塗装剥離作業を確実、かつきわめて容易に行え、もって当該箇所における剥離作業の効率を向上でき、さらには、剥離作業後の再塗装の仕上がりを最適のものとしうるとの優れた効果を奏する。
【考案を実施するための最良の形態】
【００１０】
以下、この考案を図に示す実施例に基づいて説明する。
まず、本考案による建築構造物のリベット部塗装剥離用部材１は、略半球面状に凹状湾曲した剥離作業面２を内側に有する略おわん型剥離作業体３と、該剥離作業体３の外側面略頂部より上方向へ突設された角柱状の回転軸部４と、を有して構成されている。
そして、略半球面状に凹状湾曲する剥離作業面２内側の所定箇所には、塗装剥離用リング刃５が略半球面状に凹状湾曲する剥離作業面２の内側面から所定の傾斜角を有して外側に向けて、すなわち、略半球面状に凹状湾曲する剥離作業面２の内面において外側に向けて所定の傾斜角を有して取り付けられている。
【００１１】
ここで、この取り付けには何ら限定されないが、本実施例では前記剥離作業面２の所定箇所に、剥離作業体３の表裏面を貫通する雌ねじ穴６が穿設されており、該雌ねじ穴６に螺合する雄ねじ部７を有するリング状をなす塗装剥離用リング刃５がねじ込まれ、もって剥離作業面２の内側所定箇所に取り付けられるものとなっている。ここで、符号９は止めねじを示すものであり、該止めねじ９を雌ねじ穴６の外側面側から螺挿し、前記塗装剥離用リング刃５の雄ねじ部７先端側に当接させることにより、塗装剥離用リング刃５の螺合ゆるみを防止することができる。
【００１２】
ところで、前記のように塗装剥離用リング刃５の取り付けに際し、ねじ込み式で取り付けるものではなく、単に円筒状をなす取り付け穴を設け、該取り付け穴に塗装剥離用リング刃５を嵌め込んで固着しても、またそれ以外の他の取り付け方法で取り付けてもかまわないものである。
なお、塗装剥離用リング刃５は、いわゆる工具鋼によって構成されており、ここで、工具鋼とは、0.3〜2.0％の炭素を含む鋼からなり、硬さと耐磨耗性に優れ、金属加工に用いられる刃物、治具、金型等に用いられる。そして、工具鋼には、一般に炭素工具鋼、合金工具鋼、ダイス鋼、高速度鋼、などの種類があるが、本実施例においては、SKS３の合金工具鋼(低合金工具鋼もしくは特殊工具鋼：特鋼)などが使用されるものとなる。
【００１３】
また、塗装部分を切削して剥離する前記塗装剥離用リング刃５の内径先端部分である刃の形状は、図４（ａ）から理解されるように、リング状のストレートな稜線となるよう形成してもかまわないし、図４（ｂ）、（ｃ）から理解されるように、いわゆるギヤ状に、あるいは凸凹状に、あるいは、やすり状に形成し形成してもかまわない。
【００１４】
リング状のストレートな稜線となるよう形成したタイプでは、塗装剥離を比較的滑らかに行うことができ、いわゆるギヤ状に、あるいは凸凹状に、あるいは、やすり状に形成したタイプでは、塗装剥離を比較的大胆、迅速に行うことができるとの違いがある。よって、作業現場での状況を考慮し、いずれのタイプの刃形状を使用するか選択すればよい。さらに、前述したような刃形状の異なるリベット部塗装剥離用部材１を複数個用意しておき、これらを使い分けてもかまわない。
【００１５】
次に、前記剥離作業面２の所定箇所に取り付けられた塗装剥離用リング刃５の反対側に位置する剥離作業面２の所定箇所には調整用リング刃８が取り付けられている。このリング状をなす調整用リング刃８の役割は、図１から理解されるように、塗装剥離用リング刃５の取り付け高さと略同様の高さに調整し、本考案による建築構造物のリベット部塗装剥離用部材１を高速回転して使用したときに、略おわん型剥離作業体３自体にがたつきや振動が生じないようにしたものである。
【００１６】
また、前記調整用リング刃８によっても若干のリベット頭部１２の塗装剥離は期待できる。そして、前記塗装剥離用リング刃５の取り付けと同様に、止めねじ９を雌ねじ穴６の外側方面から螺挿し、この調整用リング刃８の雄ねじ部７先端側に当接させることにより、調整用リング刃８の螺合ゆるみを防止するものとする。
なお、この調整用リング刃８の取り付けに際しても、実施例のように、ねじ込み式で取り付けるのではなく、単に円筒状をなす取り付け穴を設け、該取り付け穴に調整用リング刃８を嵌め込んで固着しても、またそれ以外の他の取り付け方法で取り付けてもかまわないものである。
なお、当該調整用リング刃８についても塗装剥離用リング刃５と同様、SKS３の合金工具鋼(低合金工具鋼もしくは特殊工具鋼：特鋼)などが使用されるものとなる。  
【００１７】
次に、符号１０は、剥離塗装通過路兼剥離状態確認用窓を示す。この剥離塗装通過路兼剥離状態確認用窓１０は、半球面状に凹状湾曲した剥離作業面２を内側に有する略おわん型剥離作業体３上に表裏面に貫通して設けられるものであり、前記回転軸部４を回転軸として回転させたとき、塗装剥離用リング刃５などによって、剥離された塗装残骸は、この剥離塗装通過路兼剥離状態確認用窓１０から外部へ放出されるものとなる。
【００１８】
さらに、この剥離塗装通過路兼剥離状態確認用窓１０は、塗装剥離用リング刃５などによって、リベット１１の頭部１２から塗装が剥離されつつある塗装面の剥離状態を確認するようにも構成される。
以上において、本考案による建築構造物のリベット部塗装剥離用部材１の使用状態につき説明する。
まず、上方に突設された回転軸部４を、たとえば市販の電動ドリルやサンダーなどの電動工具１３の取り付けチャック内に挿入し、該回転軸部４を締め付けることにより強固に前記回転軸部４を前記電動工具１３に固着できる。従って、回転軸部４は四角形あるいは六角形の角筒状に形成した方が好ましい。
【００１９】
かくして、リベット部塗装剥離用部材１を先端に取り付けた電動工具１３を手にした作業者は図２から理解されるように、剥離すべき塗装が施されている、たとえば鉄橋１４の接続部における複数のリベット頭部１２に、前記リベット部塗装剥離用部材１を被せ、電動工具１３により高速回転させる。すると、塗装剥離用リング刃５がリベット頭部１２の塗装を削って剥離する。この際、調整用リング刃８によっても若干ではあるが切削による塗装剥離が行われる。
【００２０】
このように、塗装剥離用リング刃５、調整用リング刃８の主に内径に有するリング状切削刃がリベット頭部１２の「半球」をなす表面形状を、いわゆる球面の軌道をもって旋回し、リベット頭部１２の塗装を切削し剥離することになる。
【００２１】
上記のように本考案では、リベット頭部１２に確実に密着し、その塗装面を効率よく切削して塗装剥離することができる。
さらに、略おわん状をなす剥離作業体３上に、表裏面を貫通する任意の大きさと角度を有した貫通穴を開け当該穴を、剥離塗装通過路兼剥離状態確認用窓１０として構成した。そして、電動工具１３が高速で回転することにより、その剥離塗装通過路兼剥離状態確認用窓１０から塗装剥離作業を行いながら、同時に塗装剥離状況の進行を確認できる様にした。
【００２２】
なおかつ、その剥離塗装通過路兼剥離状態確認用窓１０より剥離塗装除去物、残骸物を外側に排出できるようにした。これにより、作業能率の向上が大きく図れることとなった。
すなわち、作業者は、電動工具１３を回転させつつ、リベット頭部１２の全体が削れるように電動工具１３を操作すべく動かす。
【００２３】
そして、この作業により切削、剥離された塗装の剥離残骸物は、塗装剥離用リング刃５、調整用リング刃８の取り付け用雌ねじ穴６より、また剥離塗装通過路兼剥離状態確認用窓１０より外部へ排出される。
また、塗装の剥離進行状態は、塗装剥離用リング刃５、調整用リング刃８の取り付け用雌ねじ穴６より、また剥離塗装通過路兼剥離状態確認用窓１０より容易に確認できるものとなるのである。
【図面の簡単な説明】
【００２４】
【図１】本考案による建築構造物のリベット部塗装剥離用部材の一部破断した構成説明図である。
【図２】本考案による建築構造物のリベット部塗装剥離用部材を電動工具に取り付けて作業を行う状態を示す説明図である。
【図３】本考案による建築構造物のリベット部塗装剥離用部材の外観構成を説明する外観構成説明図である。
【図４】本考案による塗装剥離用リング刃の具体的な構成を説明する説明図である。
【符号の説明】
【００２５】
１     建築構造物のリベット部塗装剥離用部材
２     剥離作業面    
３     剥離作業体
４     回転軸部    
５     塗装剥離用リング刃
６     雌ねじ穴
７     雄ねじ部
８     調整用リング刃     
９     止めねじ  
１０   剥離物
１１   リベット  
１２   リベット頭部    
１３   電動工具
１４   鉄橋  
１５   作業者  
【図１】
0003128867.tif 000003
【図２】
0003128867.tif 000004
【図３】
0003128867.tif 000005
【図４】
0003128867.tif 000006